(57)【要約】【課題】リモコンの紛失やリモコンの破損の発生を抑制し利便性を向上させる太陽光発電表示装置を提供する。【解決手段】太陽電池の直流出力を交流に変換して商用電源に系統連系する太陽光発電システムに設けられ、太陽電池による発電電力、及び商用電源系統から供給または商用電源系統に逆潮する売買電力を表示する太陽光発電表示装置２０Ｂにおいて、本体３０と、本体３０に接続され発電電力及び売買電力を表示する外部表示部と、遠隔操作により本体３０の操作および外部表示部の画面表示を切り替えるリモコン５０とを有し、本体３０に、リモコン５０を収納する収納部７１が設けられている。【選択図】        図５
2010032305.tif 000002
【特許請求の範囲】
【請求項１】
太陽電池の直流出力を交流に変換して商用電源に系統連系する太陽光発電システムに設けられ、前記太陽電池による発電電力、及び商用電源系統から供給または商用電源系統に逆潮する売買電力を表示する太陽光発電表示装置において、
本体と、
前記本体に接続され前記発電電力及び前記売買電力を表示する外部表示部と、
遠隔操作により、前記本体の操作および前記外部表示部の画面表示を切り替えるリモコンとを有し、
前記本体に、前記リモコンを収納する収納部が設けられている
ことを特徴とする太陽光発電表示装置。
【請求項２】
前記収納部は、前記リモコンが嵌り合う内部形状を成している
ことを特徴とする請求項１に記載の太陽光発電表示装置。
【請求項３】
前記収納部の開口周囲に、前記リモコンを前記収納部に案内するガイドが設けられていることを特徴とする請求項１または２に記載の太陽光発電表示装置。
【請求項４】
前記リモコンの一部が前記収納部から突出し前面側から見える
ことを特徴とする請求項１から３のいずれか１項に記載の太陽光発電表示装置。
【請求項５】
前記収納部が前記本体の背面に設けられ前面側から見えない
ことを特徴とする請求項１から４のいずれか１項に記載の太陽光発電表示装置。
【発明の詳細な説明】
【技術分野】
【０００１】
本発明は、太陽電池の直流出力を交流に変換して商用電源に系統連系する太陽光発電システムに設けられ、太陽電池による発電電力、及び商用電源系統から供給または商用電源系統に逆潮する売買電力を表示する太陽光発電表示装置に関するものである。
【背景技術】
【０００２】
このような太陽光発電表示装置は、計測された発電電力と売電電力を表示したり、または計測された発電電力と買電電力を表示したりする表示部を有している。この表示部は、例えば、所定期間の各月毎における発電電力量を示すグラフ表示を行うとともに、所定期間の積算発電電力量を示す数値データ表示を行い、また、表示切替手段が操作されることにより所定期間の各月毎における発電電力量を示すグラフ表示から当月を示すメッセージ表示に切り替えたり、所定期間の積算発電電力量を示す数値データ表示から当月に対応する発電電力量を示す数値データ表示に切り替えたりする（例えば、特許文献１及び２参照）。
【０００３】
【特許文献１】特開２００４−０１２３７５号公報
【特許文献２】特開２００４−０１２３７６号公報
【発明の開示】
【発明が解決しようとする課題】
【０００４】
上記太陽光発電表示装置においては、液晶板などのデバイスで構成される表示部を有している。近年、使用者が発電電力量や消費電力量をひと目でわかるようにエネルギーチャート等にして表示したり、二酸化炭素排出削減量や石油削減量などをリアルタイムで表示して、環境貢献度をその場で確認できるようにしたりするようにされて来ており、表示する情報量は増大する傾向にある。しかしながら、豊富で詳細な情報を表示する表示部を備えるためにはコストが増える。
【０００５】
これに対して、従来、情報を表示するためだけの外部表示部を接続し、これに詳細な情報を表示するという提案がされている。この外部表示部としては、例えば、既存のテレビジョンなどが用いられる。
【０００６】
従来、太陽光発電表示装置の画面の切替えは、例えば、装置前面に設けられた切替スイッチなどにより行われていたが、上記のような使用形態になると、テレビジョンの画面を切替えるようにリモコンで操作できると便利である。しかしながら、リモコンを装備すると、リモコンの紛失やリモコンの破損という問題が発生する。
【０００７】
本発明は、上記に鑑みてなされたものであって、リモコンの紛失やリモコンの破損の発生を抑制し、利便性を向上させる太陽光発電表示装置を提供することを目的とする。
【課題を解決するための手段】
【０００８】
上述した課題を解決し、目的を達成するために、本発明は、太陽電池の直流出力を交流に変換して商用電源に系統連系する太陽光発電システムに設けられ、太陽電池による発電電力、及び商用電源系統から供給または商用電源系統に逆潮する売買電力を表示する太陽光発電表示装置において、本体と、本体に接続され発電電力及び売買電力を表示する外部表示部と、遠隔操作により、本体の操作および外部表示部の画面表示を切り替えるリモコンとを有し、本体に、リモコンを収納する収納部が設けられていることを特徴とする。
【発明の効果】
【０００９】
この発明によれば、本体にリモコンの収納部が設けられている。この収納部の存在は使用者のリモコンを片付ける意識をうながし、リモコンの紛失を抑制する。これにより、リモコンは常に一定の場所に収納されることとなり、誤って破損してしまうこともなくなる、という効果を奏する。
【発明を実施するための最良の形態】
【００１０】
以下に、本発明にかかる太陽光発電表示装置の実施の形態を図面に基づいて詳細に説明する。なお、この実施の形態によりこの発明が限定されるものではない。
【００１１】
実施の形態１．
図１はこの発明の実施の形態に係る太陽光発電表示装置を含む太陽光発電システムの構成を示す図である。図１において、住宅の屋根上などに設置された太陽電池１１は、太陽光を受けて直流電力を発生する。太陽電池１１に接続された接続箱１２は、太陽電池１１が発電した直流電力を集電する。
【００１２】
接続箱１２に接続されたパワーコンディショナ１３は、電力変換手段１３ａと発電電力計測手段１３ｂを有している。電力変換手段１３ａは、接続箱１２からの直流電力を交流電力に変換する。発電電力計測手段１３ｂは太陽電池１１で発電され接続箱１２を介して電力変換手段１３ａで交流に変換される電力を測定する。
【００１３】
分電盤１４内には、主幹ブレーカ１４ａ、連系ブレーカ１４ｂ、分岐ブレーカ１４ｃが収納されている。商用電源（系統）１６からの電力は、主幹ブレーカ１４ａを介して住宅内に供給され、さらに分岐ブレーカ１４ｃを介して住宅内の各負荷に供給される。一方、パワーコンディショナ１３の出力（発電電力）は連系ブレーカ１４ｂを介して商用電源（系統）１６に連系される。
【００１４】
太陽光発電システムによって発電された発電電力は、分電盤１４を経由して住宅内の各負荷に供給される。ただし、夜間や雨天時など発電量が少ない時や、住宅内で使っている負荷が大きい時には、太陽光発電システムによる発電電力だけでは賄えないので、商用電源（系統）１６側から不足分の電力の供給を受けて負荷に充てる。すなわち、電力会社から不足分の電力を買電する。
【００１５】
逆に、晴天で発電量が多い時や、住宅内の負荷が小さい時などには、太陽光発電による発電電力が余るので、その余剰電力を商用電源側に逆潮流する。すなわち、電力会社にその余剰電力を売電する。分電盤１４の内部に設置された売買電力計測手段１７は、分電盤１４内の主幹ブレーカ１４ａを通過する電流の値および分電盤１４内の電圧の値を検出し、商用電源（系統）１６からの供給電力（買電電力）および商用電源（系統）１６への逆潮電力（売電電力）を算出する。
【００１６】
太陽光発電表示装置２０は、発電電力計測手段１３ｂ及び売買電力計測手段１７に接続され、発電電力計測手段１３ｂからの発電電力に関する情報、売買電力計測手段１７からの売電電力、買電電力に関する情報、あるいはこれらの発電電力、売電電力、買電電力から算出される住宅内の消費電力に関する情報を表示する。
【００１７】
太陽光発電表示装置２０は、液晶板などのデバイスで構成される表示部３５を有している。しかしながら、より豊富で詳細な情報を表示するために外部表示部として、テレビジョン１８が接続されている。太陽光発電表示装置２０とテレビジョン１８とは並べて据え置かれている。遠隔操作により、太陽光発電表示装置２０の操作およびテレビジョン１８の画面表示を切り替える概略矩形平板状のリモコン５０が設けられている。
【００１８】
図２は本実施の形態の太陽光発電表示装置２０の正面図である。図３は本実施の形態の太陽光発電表示装置２０の側面図である。図４は本実施の形態の太陽光発電表示装置２０を裏面側から見た斜視図である。太陽光発電表示装置２０は、縦長直方体状の本体３０、この本体３０を起立姿勢に保持する台座６０とから構成されている。太陽光発電表示装置２０は、装置の前面の外殻を構成する前面筐体３１と、装置の背面の外殻を構成する背面筐体４１とを有している。
【００１９】
図２において、前面筐体３１のほほ上半分の領域に、表示部３５が設けられている。表示部３５には、液晶板などのデバイスで構成される簡易な液晶画面３５ａと、この液晶画面３５ａの表示を切り替える表示切替ボタン３５ｂと、売電中を示す売電中ランプ３５ｃと、買電中を示す買電中ランプ３５ｄとが設けられている。また、表示部３５の上部には、リモコン５０の受光部３７が設けられている。
【００２０】
図３において、例えば、テレビジョン載せ台上に水平に載置された台座６０は、本体３０の下部を保持して、本体３０の前面がやや上を向くように起立姿勢に支持する。
【００２１】
図４において、背面筐体４１の上部には、太陽光発電表示装置２０を遠隔操作するためのリモコン５０が収納されている。背面筐体４１の上部に、矩形平板状のリモコン５０の概ね３辺を保持する枠状の収納部７１が形成されており、リモコン５０は、この収納部７１に収納されている。本実施の形態においては、収納部７１が設けられたことにより、本体３０が大きくなることがないように従来箱状を成していた背面筐体４１の上部をリモコン５０の形状に合わせて凹ませることにより収納部７１を形成している。収納部７１の内部形状は、ほぼリモコン５０と同様な形状を成しており、リモコン５０は、収納部７１に嵌り合うように収納される。
【００２２】
リモコン５０は、本体３０の前面に設けられた受光部３７に向けて電波を出射することにより、太陽光発電表示装置２０の操作を行う。具体的には、太陽光発電表示装置２０のモードや画面表示の切替え、及びテレビジョン１８に対する表示データの切替えを行う。もし、テレビジョン１８が、太陽光発電表示装置２０と同じ同社の製品であれば、リモコン５０でテレビジョン１８の操作もできる。
【００２３】
なお、本実施の形態においては、収納部７１は本体３０の裏面に設けられているが、その収納部７１に収納されたリモコン５０は、本体３０から上方に突出して、前面側から見えるようにされている。
【００２４】
背面筐体４１のほぼ中央部には、テレビジョン１８に延びる図示しない接続ケーブルを取り出すためのケーブル取出部４２が凸状に盛り上がって形成されている。背面筐体４１に設けられたケーブル取出部４２の下面には、テレビジョン１８に延びるケーブルの接続部としてＳ端子が接続されるＳ端子接続口とコンポジット端子が接続されるコンポジット端子接続口４２ｂとが形成されている。
【００２５】
このような構成の太陽光発電表示装置２０においては、本体３０にリモコン５０の収納部７１が設けられているので、収納部７１の存在が使用者のリモコン５０を片付ける意識をうながす。これにより、リモコン５０は常に一定の場所に収納されることとなり、リモコン５０の紛失を抑制する。また、リモコン５０が収納されている様子が前面側から見えるようにされているので、さらに紛失の抑制がされる。また、リモコン５０を不用意に置き忘れることが減り、誤って破損してしまうことも少なくなる。
【００２６】
なお、本実施の形態の太陽光発電表示装置２０においては、本体３０に簡易な表示部３５を有するものであるが、外部表示部としてテレビジョン１８を有するものであるので、必ずしも本体３０に表示部３５はなくてもよい。
【００２７】
実施の形態２．
図５は実施の形態２の太陽光発電表示装置２０Ｂを裏面側から見た斜視図である。本実施の形態においては、リモコン５０の収納部７１がガイド７２を有している。ガイド７２は、収納部７１の下端から後方へ斜めに張り出し、目標からずれて本体３０の背後に落下してしまいそうになるリモコン５０を収納部７１内に導く。その他の構成は実施の形態１と同様である。
【００２８】
このような構成の太陽光発電表示装置２０Ｂにおいては、収納部７１にガイド７２が設けられているので、リモコン５０が本体３０の裏面に落下してしまうことがなくなり、使い勝手がよくなるとともに、リモコンの紛失やリモコンの破損の発生をさらに抑制する。      
【００２９】
実施の形態３．
図６は実施の形態３の太陽光発電表示装置２０Ｃを前面斜め横から見た斜視図である。本実施の形態においては、本体３０の前面下方にリモコン５０の収納部として収納ポケット７５が設けられている。収納ポケット７５の内部形状は、ほぼリモコン５０と同様な形状を成しており、リモコン５０は収納ポケット７５に嵌り合うように収納される。リモコン５０は、横置きに収納され、一方の長辺部を収納ポケット７５から突出させ、リモコン５０が収納されている様子が前面側から見えるようにされている。その他の構成は実施の形態１と同様である。
【００３０】
このような構成の太陽光発電表示装置２０Ｃにおいては、本体３０の前面にリモコン５０の収納ポケット７５が設けられているので、収納ポケット７５からリモコン５０を抜き差しやすいものとすることができ、また、リモコン５０が収納されている様子が前面側から見えるので、さらに紛失の抑制がされる。また、リモコン５０を不用意に置き忘れることが減り、誤って破損してしまうことも少なくなる。
【００３１】
実施の形態４．
図７は実施の形態４の太陽光発電表示装置２０Ｄを前面斜め横から見た斜視図である。本実施の形態においては、本体３０の側面下方にリモコン５０の収納部として収納ポケット７７が設けられている。収納ポケット７７の内部形状は、ほぼリモコン５０と同様な形状を成しており、リモコン５０は収納ポケット７７に嵌り合うように収納される。リモコン５０は、縦置きに収納され、一方の短辺部を収納ポケット７７から突出させ、リモコン５０が収納されている様子が前面側から見えるようにされている。その他の構成は実施の形態１と同様である。
【００３２】
このような構成の太陽光発電表示装置においては、本体３０の側面にリモコン５０の収納ポケット７７が設けられているので、本体３０が前後方向に拡大することなく、収納ポケット７７からリモコン５０を抜き差しやすいものとすることができ、また、収納されている様子が前面側から見えるようにされているので、さらに紛失の抑制がされる。また、リモコン５０を不用意に置き忘れることが減り誤って破損してしまうことも少なくなる。
【産業上の利用可能性】
【００３３】
以上のように、この発明の太陽光発電表示装置は、太陽電池の直流出力を交流に変換して商用電源に系統連系する太陽光発電システムに設けられ、太陽電池による発電電力、及び商用電源系統から供給または商用電源系統に逆潮する売買電力を表示する太陽光発電表示装置において、特に、リモコンを備えた太陽光発電表示装置に最適なものである。
【図面の簡単な説明】
【００３４】
【図１】この発明の実施の形態に係る太陽光発電表示装置を含む太陽光発電システムの構成を示す図である。
【図２】実施の形態１の太陽光発電表示装置の正面図である。
【図３】実施の形態１の太陽光発電表示装置の側面図である。
【図４】実施の形態１の太陽光発電表示装置を裏面側から見た斜視図である。
【図５】実施の形態２の太陽光発電表示装置を裏面側から見た斜視図である。
【図６】実施の形態３の太陽光発電表示装置を前面斜め横から見た斜視図である。
【図７】実施の形態４の太陽光発電表示装置を前面斜め横から見た斜視図である。
【符号の説明】
【００３５】
１１  太陽電池
１２  接続箱
１３  パワーコンディショナ
１３ａ  電力変換手段
１３ｂ  発電電力計測手段
１４  分電盤
１４ａ  主幹ブレーカ
１４ｂ  連系ブレーカ
１４ｃ  分岐ブレーカ
１６  商用電源
１７  売買電力計測手段
１８  テレビジョン（外部表示部）
２０，２０Ｂ，２０Ｃ，２０Ｄ  太陽光発電表示装置
３０  本体
３１  前面筐体
３５  表示部
３５ａ  液晶画面
３５ｂ  表示切替ボタン
３５ｃ  売電中ランプ
３５ｄ  買電中ランプ
３７  受光部
４１  背面筐体
４２  ケーブル取出部
４２ｂ  コンポジット端子接続口
５０  リモコン
６０  台座
７１  収納部
７２  ガイド
７５，７７  収納ポケット（収納部）
【図１】
2010032305.tif 000003
【図２】
2010032305.tif 000004
【図３】
2010032305.tif 000005
【図４】
2010032305.tif 000006
【図５】
2010032305.tif 000007
【図６】
2010032305.tif 000008
【図７】
2010032305.tif 000009